(57)【特許請求の範囲】
【請求項１】
全筒運転モードと減筒運転モードとを切換可能に構成されたエンジンと、該エンジンの出力トルクを主駆動輪と補助駆動輪とに伝達するトルク伝達手段と、該トルク伝達手段に設けられ、前記エンジンの出力トルクのうち前記補助駆動輪に配分するトルクを調整するトルク配分調整手段と、前記エンジンの全筒運転モードで前記トルク伝達手段が異音発生状態となる第１運転領域にあるときに異音の発生を抑制するように前記トルク配分調整手段によって前記補助駆動輪に対するトルク配分を増大させる異音抑制手段と、を有する四輪駆動車の制御装置であって、
前記異音抑制手段は、前記エンジンの減筒運転モードでは、前記第１運転領域より高エンジン回転数側の減筒運転モードで前記トルク伝達手段が異音発生状態となる運転領域を含む第２運転領域にあるときに異音の発生を抑制するように前記トルク配分調整手段によって前記補助駆動輪に対するトルク配分を増大させる、
ことを特徴とする四輪駆動車の制御装置。
【請求項２】
前記第１運転領域は、前記エンジンの全筒運転モードで前記トルク伝達手段が異音発生状態となる所定の第１エンジン回転数と該第１エンジン回転数より高エンジン回転数側の所定の第２エンジン回転数との間の運転領域であり、
前記第２運転領域は、前記第１エンジン回転数と前記第２エンジン回転数より高エンジン回転数側の所定の第３エンジン回転数との間の運転領域であり、
前記異音抑制手段は、前記エンジンの減筒運転モードで前記第２運転領域における異音の発生を抑制するように増大される前記補助駆動輪に対するトルク配分が最大となるエンジン回転数未満の運転領域では、前記エンジンの減筒運転モードで異音の発生を抑制するように増大される前記補助駆動輪に対するトルク配分より前記補助駆動輪に対するトルク配分を増大させる、
ことを特徴とする請求項１に記載の四輪駆動車の制御装置。
【請求項３】
前記第１運転領域は、前記エンジンの全筒運転モードで前記トルク伝達手段が異音発生状態となる所定の第１エンジン回転数と該第１エンジン回転数より高エンジン回転数側の所定の第２エンジン回転数との間の運転領域であり、
前記第２運転領域は、前記第１エンジン回転数と前記第２エンジン回転数より高エンジン回転数側の所定の第３エンジン回転数との間の運転領域であり、
前記エンジンの減筒運転モードで前記第２運転領域における前記第１運転領域と重なる運転領域にある場合に、全筒運転モードへの移行要求があったときは、前記異音抑制手段によって前記エンジンの全筒運転モードにおける前記第１運転領域にあるときに異音の発生を抑制するように増大される前記補助駆動輪に対するトルク配分に調整された後に全筒運転モードへの移行が行われる、
ことを特徴とする請求項１又は請求項２に記載の四輪駆動車の制御装置。
【請求項４】
前記第１運転領域は、前記エンジンの全筒運転モードで前記トルク伝達手段が異音発生状態となる所定の第１エンジン回転数と該第１エンジン回転数より高エンジン回転数側の所定の第２エンジン回転数との間の運転領域であり、
前記第２運転領域は、前記第１エンジン回転数と前記第２エンジン回転数より高エンジン回転数側の所定の第３エンジン回転数との間の運転領域であり、
前記エンジンの全筒運転モードで前記第２運転領域における前記第１運転領域より高エンジン回転数側の運転領域にある場合に、減筒運転モードへの移行要求があったときは、前記異音抑制手段によって前記エンジンの減筒運転モードにおける前記第２運転領域にあるときに異音の発生を抑制するように増大される前記補助駆動輪に対するトルク配分に調整された後に減筒運転モードへの移行が行われる、
ことを特徴とする請求項１から請求項３の何れか１項に記載の四輪駆動車の制御装置。
【請求項５】
全筒運転モードと減筒運転モードとを切換可能に構成されたエンジンと、該エンジンの出力トルクを主駆動輪と補助駆動輪とに伝達するトルク伝達手段と、該トルク伝達手段に設けられ、前記エンジンの出力トルクのうち前記補助駆動輪に配分するトルクを調整するトルク配分調整手段と、前記エンジンの全筒運転モードで前記トルク伝達手段が異音発生状態となる第１運転領域にあるときに異音の発生を抑制するように前記トルク配分調整手段によって前記補助駆動輪に対するトルク配分を増大させる異音抑制手段と、を有する四輪駆動車であって、
前記異音抑制手段は、前記エンジンの減筒運転モードでは、前記第１運転領域より高エンジン回転数側の減筒運転モードで前記トルク伝達手段が異音発生状態となる運転領域を含む第２運転領域にあるときに異音の発生を抑制するように前記トルク配分調整手段によって前記補助駆動輪に対するトルク配分を増大させる、
ことを特徴とする四輪駆動車。
【発明の詳細な説明】
【技術分野】
【０００１】
本発明は、全筒運転モードと減筒運転モードとを切換可能に構成されたエンジンを有する四輪駆動車の制御装置及び四輪駆動車に関する。
【背景技術】
【０００２】
四輪駆動車として、エンジンと変速機と前輪用差動装置とによって構成されると共に車体前部に搭載されて主駆動輪である左右の前輪を駆動するパワーユニットに後輪駆動用のトランスファが備えられ、該トランスファに車体前後方向に延びるプロペラシャフトが連結されると共にその後端部に後輪用差動装置が連結され、補助駆動輪としての左右の後輪も駆動可能に構成されたものが知られている。
【０００３】
前記四輪駆動車では、プロペラシャフト上に伝達トルクを可変できるカップリングが配設されることがあり、該カップリングを完全に締結することでエンジンの出力トルクが前輪と後輪に均等に伝達される四輪駆動状態になり、該カップリングを完全に解放することでエンジンの出力トルクが前輪のみに伝達される二輪駆動状態になり、該カップリングの完全締結と完全解放との中間では締結状態に応じて後輪に伝達されるトルクの配分が調整される。
【０００４】
また、前記トランスファは、軸心が車幅方向に延びる前輪用差動装置から車体前後方向に延びるプロペラシャフトに動力を伝達するために、互いに噛み合う一対の傘歯車、具体的には前輪用差動装置の軸心上に設けられた傘歯車とプロペラシャフトの軸心上に設けられた傘歯車が用いられる。
【０００５】
前記四輪駆動車では、前輪と後輪を駆動させる四輪駆動状態は、前輪のみを駆動させる二輪駆動状態に比して、後輪へのエンジンの出力トルクの配分に伴って駆動ロスが増加して燃費が悪化することから、通常は二輪駆動状態で走行し、必要時にのみ四輪駆動状態とすることが行われる。
【０００６】
しかしながら、エンジンの燃焼室における間欠的な爆発に起因してエンジンの出力トルクが変動し、このトルク変動が変速機及び前輪用差動装置を介してトランスファに伝達され、二輪駆動状態では、トランスファにおける傘歯車から後輪に至るプロペラシャフト及び後輪用差動装置等の駆動系が動力を伝達しない非動力伝達状態で回転することとなる。
【０００７】
そのため、エンジンのトルク変動の周波数によっては、捩り振動に対して所定の固有振動数を有する前記駆動系がエンジンのトルク変動に共振して該駆動系の振動が大きくなり、この振動に起因して前記一対の傘歯車間の歯打ち等による異音が発生して車室内の騒音を引き起こし得る。
【０００８】
図６は、基本的構造が対応する四輪駆動車と二輪駆動車のエンジンのトルク変動の周波数と駆動系の捩り振動に対する伝達特性との関係を示す図である。図６に示す四輪駆動車の捩り振動に対する伝達特性の波形（実線で示す波形）Ｗ１と二輪駆動車の捩り振動に対する伝達特性の波形（破線で示す波形）Ｗ２とは共に、エンジンの実用領域下（周波数ｆＬ未満）の周波数で共振のピークＰ１、Ｐ２を有しているが、エンジンの実用領域（周波数ｆＬ以上）の周波数では、四輪駆動車の波形Ｗ１は、二輪駆動車の波形Ｗ２には見られない共振のピークＰ３を有し、このピークＰ３による振動に起因して異音が発生し得る。
【０００９】
この四輪駆動車特有の前記駆動系の共振のピークＰ３に対しては、前記駆動系がエンジンのトルク変動に共振する運転領域で、前輪のみを駆動させる二輪駆動状態から該駆動系に負荷を与え、前記カップリングによる後輪へのトルク配分を増加させて後輪に所定のトルクを伝達することで、該駆動系の共振に起因した前記一対の傘歯車間の歯打ち等による異音発生を抑制することが考えられる。
【００１０】
四輪駆動車において、トランスファにおける傘歯車から後輪に至るプロペラシャフト及び後輪用差動装置等の駆動系がエンジンのトルク変動により共振することで発生する歯車間の歯打ちを抑制するものではないが、例えば特許文献１には、エンジンのノッキング発生領域で、ノッキングによる振動がトランスファから後輪用差動装置に伝達されて異音が発生することを抑制するために、後輪へのエンジンの出力トルクの配分を増加させることが開示されている。
【先行技術文献】
【特許文献】
【００１１】
【特許文献１】特開２００１−２７７８８１号公報
【発明の概要】
【発明が解決しようとする課題】
【００１２】
ところで、二輪駆動状態と四輪駆動状態とを切り換える四輪駆動車において、エンジンの燃費性能の向上を図るため、複数の気筒の全てを作動させる全筒運転モードと複数の気筒のうち一部の気筒のみを作動させる減筒運転モードとを切換可能に構成されたエンジンを備えたものが知られている。
【００１３】
かかる四輪駆動車において、エンジンの全筒運転モードと減筒運転モードとでは、エンジン回転数が同一回転数であってもエンジンのトルク変動の周波数が異なるため、トランスファにおける傘歯車から後輪に至るプロペラシャフト及び後輪用差動装置等の駆動系がエンジンのトルク変動に共振するときのエンジン回転数が異なることとなる。
【００１４】
例えば、四気筒エンジンにおいて二気筒を休止させる減筒運転モードでは、エンジンのトルク変動の周波数は、エンジン回転数が同一回転数である場合に全筒運転モードにおけるエンジンのトルク変動の周波数の二分の一となり、前記駆動系がエンジンのトルク変動に共振するときのエンジン回転数は、全筒運転モードで共振するときのエンジン回転数の２倍となる。
【００１５】
図７は、四輪駆動車の全筒運転モードと減筒運転モードのエンジン回転数と駆動系の変動トルクとの関係を示す図である。図７に示すように、四気筒エンジンを備えた四輪駆動車において、四気筒を作動させる全筒運転モードにおける前記駆動系の変動トルクの波形（実線で示す波形）Ｗ１１は、エンジンの実用領域下（エンジン回転数ＮＬ未満）のエンジン回転数では共振のピークＰ１１、Ｐ１２を有し、エンジンの実用領域（エンジン回転数ＮＬ以上）のエンジン回転数では共振のピークＰ１３を有し、二気筒を作動させる減筒運転モードにおける前記駆動系の変動トルクの波形（破線で示す波形）Ｗ１２は、ピークＰ１１、Ｐ１２、Ｐ１３のエンジン回転数の２倍となるエンジン回転数で共振のピークＰ２１、Ｐ２２、Ｐ２３を有することとなる。
【００１６】
したがって、全筒運転モードにおいて前記駆動系がエンジンのトルク変動に共振する運転領域で、前記カップリングによる後輪への配分トルクを増加させることで、全筒運転モードにおいて異音の発生を抑制しても、減筒運転モードにおいて該駆動系がエンジンのトルク変動に共振する運転領域では異音が発生するおそれがある。
【００１７】
そこで、本発明は、全筒運転モードと減筒運転モードとが切換可能に構成されたエンジンを備えた四輪駆動車において、全筒運転モードで異音の発生を抑制すると共に減筒運転モードで異音の発生を抑制することができるようにすることを目的とする。
【課題を解決するための手段】
【００１８】
前記課題を解決するため、本発明は、次のように構成したことを特徴とする。
【００１９】
まず、本願の請求項１に記載の発明は、全筒運転モードと減筒運転モードとを切換可能に構成されたエンジンと、該エンジンの出力トルクを主駆動輪と補助駆動輪とに伝達するトルク伝達手段と、該トルク伝達手段に設けられ、前記エンジンの出力トルクのうち前記補助駆動輪に配分するトルクを調整するトルク配分調整手段と、前記エンジンの全筒運転モードで前記トルク伝達手段が異音発生状態となる第１運転領域にあるときに異音の発生を抑制するように前記トルク配分調整手段によって前記補助駆動輪に対するトルク配分を増大させる異音抑制手段と、を有する四輪駆動車の制御装置であって、前記異音抑制手段は、前記エンジンの減筒運転モードでは、前記第１運転領域より高エンジン回転数側の減筒運転モードで前記トルク伝達手段が異音発生状態となる運転領域を含む第２運転領域にあるときに異音の発生を抑制するように前記トルク配分調整手段によって前記補助駆動輪に対するトルク配分を増大させることを特徴とする。
【００２０】
また、請求項２に記載の発明は、前記請求項１に記載の四輪駆動車の制御装置において、前記第１運転領域は、前記エンジンの全筒運転モードで前記トルク伝達手段が異音発生状態となる所定の第１エンジン回転数と該第１エンジン回転数より高エンジン回転数側の所定の第２エンジン回転数との間の運転領域であり、前記第２運転領域は、前記第１エンジン回転数と前記第２エンジン回転数より高エンジン回転数側の所定の第３エンジン回転数との間の運転領域であり、前記異音抑制手段は、前記エンジンの減筒運転モードで前記第２運転領域における異音の発生を抑制するように増大される前記補助駆動輪に対するトルク配分が最大となるエンジン回転数未満の運転領域では、前記エンジンの減筒運転モードで異音の発生を抑制するように増大される前記補助駆動輪に対するトルク配分より前記補助駆動輪に対するトルク配分を増大させることを特徴とする。
【００２１】
また、請求項３に記載の発明は、前記請求項１又は請求項２に記載の四輪駆動車の制御装置において、前記第１運転領域は、前記エンジンの全筒運転モードで前記トルク伝達手段が異音発生状態となる所定の第１エンジン回転数と該第１エンジン回転数より高エンジン回転数側の所定の第２エンジン回転数との間の運転領域であり、前記第２運転領域は、前記第１エンジン回転数と前記第２エンジン回転数より高エンジン回転数側の所定の第３エンジン回転数との間の運転領域であり、前記エンジンの減筒運転モードで前記第２運転領域における前記第１運転領域と重なる運転領域にある場合に、全筒運転モードへの移行要求があったときは、前記異音抑制手段によって前記エンジンの全筒運転モードにおける前記第１運転領域にあるときに異音の発生を抑制するように増大される前記補助駆動輪に対するトルク配分に調整された後に全筒運転モードへの移行が行われることを特徴とする。
【００２２】
また、請求項４に記載の発明は、前記請求項１から請求項３の何れか１項に記載の四輪駆動車の制御装置において、前記第１運転領域は、前記エンジンの全筒運転モードで前記トルク伝達手段が異音発生状態となる所定の第１エンジン回転数と該第１エンジン回転数より高エンジン回転数側の所定の第２エンジン回転数との間の運転領域であり、前記第２運転領域は、前記第１エンジン回転数と前記第２エンジン回転数より高エンジン回転数側の所定の第３エンジン回転数との間の運転領域であり、前記エンジンの全筒運転モードで前記第２運転領域における前記第１運転領域より高エンジン回転数側の運転領域にある場合に、減筒運転モードへの移行要求があったときは、前記異音抑制手段によって前記エンジンの減筒運転モードにおける前記第２運転領域にあるときに異音の発生を抑制するように増大される前記補助駆動輪に対するトルク配分に調整された後に減筒運転モードへの移行が行われることを特徴とする。
【００２３】
また、請求項５に記載の発明は、全筒運転モードと減筒運転モードとを切換可能に構成されたエンジンと、該エンジンの出力トルクを主駆動輪と補助駆動輪とに伝達するトルク伝達手段と、該トルク伝達手段に設けられ、前記エンジンの出力トルクのうち前記補助駆動輪に配分するトルクを調整するトルク配分調整手段と、前記エンジンの全筒運転モードで前記トルク伝達手段が異音発生状態となる第１運転領域にあるときに異音の発生を抑制するように前記トルク配分調整手段によって前記補助駆動輪に対するトルク配分を増大させる異音抑制手段と、を有する四輪駆動車であって、前記異音抑制手段は、前記エンジンの減筒運転モードでは、前記第１運転領域より高エンジン回転数側の減筒運転モードで前記トルク伝達手段が異音発生状態となる運転領域を含む第２運転領域にあるときに異音の発生を抑制するように前記トルク配分調整手段によって前記補助駆動輪に対するトルク配分を増大させることを特徴とする。
【発明の効果】
【００２４】
上記の構成により、本願の請求項１に記載の発明によれば、全筒運転モードでトルク伝達手段が異音発生状態となる第１運転領域にあるときに異音の発生を抑制するように補助駆動輪に対するトルク配分を増大させる異音抑制手段が備えられ、該異音抑制手段は、減筒運転モードでは、第１運転領域より高エンジン回転数側の減筒運転モードでトルク伝達手段が異音発生状態となる運転領域を含む第２運転領域にあるときに異音の発生を抑制するように補助駆動輪に対するトルク配分を増大させる。
【００２５】
これにより、全筒運転モード及び減筒運転モードでトルク伝達手段が異音発生状態となる運転領域にあるときに異音の発生を抑制するように補助駆動輪に対するトルク配分が増大されるので、全筒運転モードと減筒運転モードとが切換可能に構成されたエンジンを備えた四輪駆動車において、全筒運転モードで異音の発生を抑制すると共に減筒運転モードで異音の発生を抑制することができる。
【００２６】
また、請求項２に記載の発明によれば、異音抑制手段は、減筒運転モードで第２運転領域における異音の発生を抑制するように増大される補助駆動輪に対するトルク配分が最大となるエンジン回転数未満の運転領域では、減筒運転モードで異音の発生を抑制するように増大される補助駆動輪に対するトルク配分より補助駆動輪に対するトルク配分を増大させる。これにより、減筒運転モードにおいて運転者によるアクセルペダルの踏込速度が大きく運転領域の変化や全筒運転モードへの切換が行われる場合に、異音の発生を抑制するように補助駆動輪に対するトルク配分が増大される前にトルク伝達手段が異音発生状態となることを抑制することができ、異音の発生をより有効に抑制することができる。
【００２７】
また、請求項３に記載の発明によれば、減筒運転モードで第２運転領域における第１運転領域と重なる運転領域にある場合に、全筒運転モードへの移行要求があったときは、全筒運転モードにおける第１運転領域にあるときに異音の発生を抑制するように増大される補助駆動輪に対するトルク配分に調整された後に全筒運転モードへの移行が行われることにより、補助駆動輪に対するトルク配分が増大される前にトルク伝達手段が異音発生状態となることを抑制することができ、異音の発生をより有効に抑制することができる。
【００２８】
また、請求項４に記載の発明によれば、全筒運転モードで第２運転領域における第１運転領域より高エンジン回転数側の運転領域にある場合に、減筒運転モードへの移行要求があったときは、減筒運転モードにおける第２運転領域にあるときに異音の発生を抑制するように増大される補助駆動輪に対するトルク配分に調整された後に減筒運転モードへの移行が行われることにより、補助駆動輪に対するトルク配分が増大される前にトルク伝達手段が異音発生状態となることを抑制することができ、異音の発生をより有効に抑制することができる。
【００２９】
また、請求項５に記載の発明によれば、全筒運転モードでトルク伝達手段が異音発生状態となる第１運転領域にあるときに異音の発生を抑制するように補助駆動輪に対するトルク配分を増大させる異音抑制手段が備えられ、該異音抑制手段は、減筒運転モードでは、第１運転領域より高エンジン回転数側の減筒運転モードでトルク伝達手段が異音発生状態となる運転領域を含む第２運転領域にあるときに異音の発生を抑制するように補助駆動輪に対するトルク配分を増大させる。
【００３０】
これにより、全筒運転モード及び減筒運転モードでトルク伝達手段が異音発生状態となる運転領域にあるときに異音の発生を抑制するように補助駆動輪に対するトルク配分が増大されるので、全筒運転モードと減筒運転モードとが切換可能に構成されたエンジンを備えた四輪駆動車において、全筒運転モードで異音の発生を抑制すると共に減筒運転モードで異音の発生を抑制することができる。
【図面の簡単な説明】
【００３１】
【図１】本発明の第１実施形態に係る四輪駆動車の概略構成図である。
【図２】前記四輪駆動車におけるエンジン回転数と駆動系の変動トルク及び後輪への配分トルクとの関係を示すグラフである。
【図３】前記四輪駆動車の制御を示すフローチャートである。
【図４】本発明の第２実施形態に係る四輪駆動車におけるエンジン回転数と駆動系の変動トルク及び後輪への配分トルクとの関係を示すグラフである。
【図５】本発明の第３実施形態に係る四輪駆動車におけるエンジン回転数と駆動系の変動トルク及び後輪への配分トルクとの関係を示すグラフである。
【図６】基本的構造が対応する四輪駆動車と二輪駆動車のエンジンのトルク変動の周波数と駆動系の捩り振動に対する伝達特性との関係を示す図である。
【図７】四輪駆動車の全筒運転モードと減筒運転モードのエンジン回転数と駆動系の変動トルクとの関係を示す図である。
【発明を実施するための形態】
【００３２】
以下、本発明の実施形態について添付図面を参照しながら説明する。
【００３３】
図１は、本発明の第１実施形態に係る四輪駆動車の概略構成図である。図１に示すように、本発明の第１実施形態に係る四輪駆動車１０は、駆動源としてのエンジン１４と、エンジン１４の出力トルクを前輪１２Ｆと後輪１２Ｒとに伝達するためのトランスミッション１６とトランスミッション１６からの駆動力を左右の前輪１２Ｆに車軸１８を介して伝達する前輪用差動装置２０とを備えたトランスミッションケース１７と、後輪１２Ｒに伝達する駆動力を取り出すトランスファ２２と、トランスファ２２からの駆動力を左右の後輪１２Ｒに車軸２４を介して伝達する後輪用差動装置２６とを有している。
【００３４】
エンジン１４は、複数の気筒を有する多気筒エンジン、具体的には四気筒を有する四気筒エンジンであり、四気筒を作動させる全筒運転モードと二気筒を休止させて二気筒を作動させる減筒運転モードとを切換可能に構成されている。
【００３５】
トランスファ２２と後輪用差動装置２６とは、車体前後方向に延びるプロペラシャフト３０及びカップリング２８を介して連結されている。トランスファ２２の出力軸がプロペラシャフト３０の一端に連結され、プロペラシャフト３０の他端がカップリング２８の入力軸に連結され、該カップリング２８の出力軸が後輪用差動装置２６の入力軸に連結されている。
【００３６】
トランスファ２２は、軸心が車幅方向に延びる前輪用差動装置２０から車体前後方向に延びるプロペラシャフト３０に動力を伝達するために、互いに噛み合う一対の傘歯車（不図示）、具体的には前輪用差動装置２０の軸心上に設けられた傘歯車とプロペラシャフト３０の軸心上に設けられた傘歯車が用いられる。
【００３７】
カップリング２８は、電磁式等のカップリングが用いられ、エンジン１４の出力トルクのうち後輪１２Ｒに配分するトルクを調整するように構成されている。四輪駆動車１０では、カップリング２８によって前輪１２Ｆと後輪１２Ｒとのトルク配分が前輪：後輪＝１００：０〜５０：５０まで可変できるようになっている。
【００３８】
本実施形態では、前輪１２Ｆが主駆動輪であり、後輪１２Ｒが補助駆動輪であり、トランスミッション１６、前輪用差動装置２０、車軸１８、トランスファ２２、プロペラシャフト３０、カップリング２８、後輪用差動装置２６及び車軸２４によって、エンジン１４の出力トルクを前輪１２Ｆと後輪１２Ｒとに伝達するトルク伝達手段が構成され、カップリング２８によって、エンジン１４の出力トルクのうち後輪１２Ｒに配分するトルクを調整するトルク配分調整手段が構成されている。
【００３９】
四輪駆動車１０には、運転者によるアクセルペダルの踏込量（アクセル開度）を検出するアクセル開度センサ３６と、エンジン１４の回転数を検出するエンジン回転数センサ３８と、エンジン１４やカップリング２８等の作動を制御する制御ユニット３４とが備えられている。
【００４０】
制御ユニット３４には、アクセル開度センサ３６及びエンジン回転数センサ３８からの信号等の各種情報が入力され、制御ユニット３４は、これら各種情報に基づいてエンジン１４やカップリング２８等の作動を制御する。なお、制御ユニット３４は、マイクロコンピュータを主要部として構成されている。
【００４１】
制御ユニット３４には、エンジン回転数及びアクセル開度と運転モード、具体的には全筒運転モード及び減筒運転モードとの関係を示す運転モードマップが記憶されており、制御ユニット３４は、運転モードマップを用いてエンジン回転数及びアクセル開度からエンジン１４の全筒運転モードと減筒運転モードとを切り換えるように制御する。
【００４２】
制御ユニット３４はまた、全筒運転モードで前記トルク伝達手段、具体的にはトランスファ２２における前輪用差動装置２０の軸心上に設けられた傘歯車から後輪１２Ｒに至るプロペラシャフト３０及び後輪用差動装置２６等の駆動系が異音発生状態となる第１運転領域にあるときに異音の発生を抑制するようにカップリング２８によって後輪１２Ｒに対するトルク配分を増大させるように制御する。
【００４３】
制御ユニット３４は、減筒運転モードでは、第１運転領域より高エンジン回転数側の減筒運転モードで前記トルク伝達手段、具体的には前記駆動系が異音発生状態となる運転領域を含む第２運転領域にあるときに異音の発生を抑制するようにカップリング２８によって後輪１２Ｒに対するトルク配分を増大させるように制御する。
【００４４】
図２は、前記四輪駆動車におけるエンジン回転数と駆動系の変動トルク及び後輪への配分トルクとの関係を示すグラフである。図２では、エンジン回転数を横軸にとり、トランスファ２２における傘歯車から後輪１２Ｒに至るプロペラシャフト３０及び後輪用差動装置２６等の駆動系の変動トルク及び後輪１２Ｒへの配分トルクを縦軸にとり、全筒運転モードにおける前記駆動系の変動トルクの波形を実線Ｗａで示し、減筒運転モードにおける前記駆動系の変動トルクの波形を破線Ｗｂで示している。
【００４５】
図２に示すように、全筒運転モードの変動トルクの波形Ｗａは、所定のエンジン回転数ＮａでピークＰａを有し、減筒運転モードの変動トルクの波形Ｗｂは、エンジン回転数Ｎａより高エンジン回転側の所定のエンジン回転数ＮｂでピークＰｂを有している。
【００４６】
なお、図２では、エンジン１４の実用領域のエンジン回転数について示しており、変動トルクの波形Ｗａ、Ｗｂは、図７に示す変動トルクの波形Ｗ１１、Ｗ１２に対応し、ピークＰａ、Ｐｂは、図７に示すピークＰ１３、Ｐ２３に対応する。エンジン１４の実用領域とは、例えばアイドル回転数以上のエンジン回転数の領域をいうものとする。
【００４７】
制御ユニット３４には、全筒運転モードで前記トルク伝達手段が異音発生状態となる第１運転領域として、変動トルクの波形ＷａのピークＰａとなるエンジン回転数Ｎａを含む所定の第１エンジン回転数Ｎ１と該第１エンジン回転数Ｎ１より高エンジン回転数側の所定の第２エンジン回転数Ｎ２との間の運転領域が設定されて記憶されている。
【００４８】
制御ユニット３４にはまた、第１運転領域より高エンジン回転数側の減筒運転モードで前記トルク伝達手段が異音発生状態となる運転領域を含む第２運転領域として、変動トルクの波形ＷｂのピークＰｂとなるエンジン回転数Ｎｂを含む第１エンジン回転数Ｎ１と第２エンジン回転数Ｎ２より高エンジン回転数側の所定の第３エンジン回転数Ｎ３との間の運転領域が設定されて記憶されている。
【００４９】
そして、制御ユニット３４は、全筒運転モードで第１運転領域、すなわち第１エンジン回転数Ｎ１と第２エンジン回転数Ｎ２との間の運転領域にあるときに全筒運転モードにおける異音抑制制御を行う。具体的には、制御ユニット３４は、異音の発生を抑制するようにカップリング２８によって後輪１２Ｒに対するトルク配分を増大させ、図２の実線Ｌ１で示すように、波形ＷａのピークＰａの変動トルクを超える後輪１２Ｒへの配分トルクＴ１になるように制御する。
【００５０】
制御ユニット３４はまた、減筒運転モードで第２運転領域、すなわち第１エンジン回転数Ｎ１と第３エンジン回転数Ｎ３との間の運転領域にあるときに減筒運転モードにおける異音抑制制御を行う。具体的には、制御ユニット３４は、異音の発生を抑制するようにカップリング２８によって後輪１２Ｒに対するトルク配分を増大させ、図２の破線Ｌ２で示すように、波形ＷｂのピークＰｂの変動トルクを超える後輪１２Ｒへの配分トルクＴ１になるように制御する。
【００５１】
制御ユニット３４には、四輪駆動車１０の前記駆動系の変動トルクの波形Ｗａ、Ｗｂが記憶されると共に、全筒運転モード及び減筒運転モードにおける異音抑制制御のためのエンジン回転数と後輪１２Ｒへの配分トルクとの関係が設定されて記憶されている。
【００５２】
図３は、前記四輪駆動車の制御を示すフローチャートである。四輪駆動車１０において前記トルク伝達手段で異音が発生することを抑制する異音抑制制御は、制御ユニット３４によって実行される。図３に示すように、制御ユニット３４には、先ず、四輪駆動車１０に関係する構成により検出された信号、すなわちアクセル開度及びエンジン回転数等の各種信号が読み込まれる（ステップＳ１）。
【００５３】
次に、ステップＳ２において、全筒運転モードであるか否かが判定される。エンジン回転数及びアクセル開度と運転モードとの関係を示す運転モードマップを用いて、エンジン回転数及びアクセル開度からエンジン１４が全筒運転モードであるか否かが判定される。
【００５４】
ステップＳ２での判定結果がイエス（ＹＥＳ）の場合、すなわち全筒運転モードであると判定される場合、全筒運転モードにおける異音抑制制御が行われ（ステップＳ３）、全筒運転モードで第１運転領域にあるときにカップリング２８によって後輪１２Ｒに対するトルク配分を増大させ、全筒運転モードで前記波形ＷａのピークＰａの変動トルクを超える後輪１２Ｒへの配分トルクＴ１になるように制御する。
【００５５】
一方、ステップＳ２での判定結果がノー（ＮＯ）の場合、すなわち全筒運転モードではなく減筒運転モードであると判定される場合、減筒運転モードにおける異音抑制制御が行われ（ステップＳ４）、減筒運転モードで第２運転領域にあるときにカップリング２８によって後輪１２Ｒに対するトルク配分を増大させ、減筒運転モードで前記波形ＷｂのピークＰｂの変動トルクを超える後輪１２Ｒへの配分トルクＴ１になるように制御する。
【００５６】
制御ユニット３４はまた、運転モードマップを用いてエンジン回転数及びアクセル開度から全筒運転モードと減筒運転モードとを切り換えるようにエンジン１４の作動を制御する。
【００５７】
なお、制御ユニット３４によって、全筒運転モードで第１運転領域にあるときに異音の発生を抑制するようにカップリング２８によって後輪１２Ｒに対するトルク配分を増大させると共に、減筒運転モードでは第２運転領域にあるときに異音の発生を抑制するようにカップリング２８によって後輪１２Ｒに対するトルク配分を増大させる異音抑制手段が構成されている。
【００５８】
このように、本実施形態に係る四輪駆動車１０では、全筒運転モードで前記トルク伝達手段が異音発生状態となる第１運転領域にあるときに異音の発生を抑制するように後輪１２Ｒに対するトルク配分を増大させる異音抑制手段３４が備えられ、該異音抑制手段３４は、減筒運転モードでは、第１運転領域より高エンジン回転数側の減筒運転モードで前記トルク伝達手段が異音発生状態となる運転領域を含む第２運転領域にあるときに異音の発生を抑制するように後輪１２Ｒに対するトルク配分を増大させる。
【００５９】
これにより、全筒運転モード及び減筒運転モードで前記トルク伝達手段が異音発生状態となる運転領域にあるときに異音の発生を抑制するように後輪１２Ｒに対するトルク配分が増大されるので、全筒運転モードと減筒運転モードとが切換可能に構成されたエンジン１４を備えた四輪駆動車１０において、全筒運転モードで異音の発生を抑制すると共に減筒運転モードで異音の発生を抑制することができる。
【００６０】
なお、本実施形態では、第２運転領域として、第１エンジン回転数Ｎ１と第３エンジン回転数Ｎ３との間の運転領域が設定されているが、第２エンジン回転数Ｎ２と第３エンジン回転数Ｎ３との間の運転領域や前記トルク伝達手段の変動トルクが所定値以上である運転領域に設定してもよく、エンジン回転数Ｎｂを含む所定の運転領域に設定することが可能である。また、第１運転領域についても、エンジン回転数Ｎａを含む所定の運転領域に設定することが可能である。
【００６１】
図４は、本発明の第２実施形態に係る四輪駆動車におけるエンジン回転数と駆動系の変動トルク及び後輪への配分トルクとの関係を示すグラフである。第２実施形態に係る四輪駆動車は、第１実施形態に係る四輪駆動車１０と、全筒運転モードで第１運転領域及び減筒運転モードで第２運転領域にあるときの後輪１２Ｒへの配分トルクが異なること以外は同様であるので、同様の構成については説明を省略する。
【００６２】
図４に示すように、本実施形態においても、制御ユニット３４は、全筒運転モードで第１運転領域、すなわち第１エンジン回転数Ｎ１と第２エンジン回転数Ｎ２との間の運転領域にあるときに全筒運転モードにおける異音抑制制御を行い、異音の発生を抑制するようにカップリング２８によって後輪１２Ｒに対するトルク配分を増大させ、図４の実線Ｌ１１で示す後輪１２Ｒへの配分トルクになるように制御する。
【００６３】
制御ユニット３４は、第１エンジン回転数Ｎ１では後輪１２Ｒへの配分トルクＴ２になるように制御し、第１エンジン回転数Ｎ１からエンジン回転数が高くなるにつれて後輪１２Ｒへの配分トルクが高くなるように制御し、第１エンジン回転数Ｎ１と第２エンジン回転数Ｎ２との間の所定の第４エンジン回転数Ｎ４から第２エンジン回転数Ｎ２までは後輪１２Ｒへの配分トルクＴ１になるように制御する。
【００６４】
制御ユニット３４はまた、減筒運転モードで第２運転領域、すなわち第１エンジン回転数Ｎ１と第３エンジン回転数Ｎ３との間の運転領域にあるときに減筒運転モードにおける異音抑制制御を行い、異音の発生を抑制するようにカップリング２８によって後輪１２Ｒに対するトルク配分を増大させ、図４の破線Ｌ１２で示す後輪１２Ｒへの配分トルクになるように制御する。
【００６５】
制御ユニット３４は、第１エンジン回転数Ｎ１では後輪１２Ｒへの配分トルクＴ２になるように制御し、第１エンジン回転数Ｎ１からエンジン回転数が高くなるにつれて後輪１２Ｒへの配分トルクが高くなるように制御し、第１エンジン回転数Ｎ１と第３エンジン回転数Ｎ３との間の所定の第５エンジン回転数Ｎ５から第３エンジン回転数Ｎ３までは後輪１２Ｒへの配分トルクＴ１になるように制御する。
【００６６】
本実施形態においても、制御ユニット３４によって、全筒運転モードであるか否かが判定され、全筒運転モードであると判定される場合、全筒運転モードにおける異音抑制制御が行われ、減筒運転モードであると判定される場合、減筒運転モードにおける異音抑制制御が行われる。また、制御ユニット３４によって、運転モードマップを用いてエンジン回転数及びアクセル開度から全筒運転モードと減筒運転モードとを切り換えるようにエンジン１４の作動が制御される。
【００６７】
このように、本実施形態に係る四輪駆動車１０においても、全筒運転モードで前記トルク伝達手段が異音発生状態となる第１運転領域にあるときに異音の発生を抑制するように後輪１２Ｒに対するトルク配分を増大させる異音抑制手段３４が備えられ、該異音抑制手段３４は、減筒運転モードでは、第１運転領域より高エンジン回転数側の減筒運転モードで前記トルク伝達手段が異音発生状態となる運転領域を含む第２運転領域にあるときに異音の発生を抑制するように後輪１２Ｒに対するトルク配分を増大させる。
【００６８】
これにより、全筒運転モード及び減筒運転モードで前記トルク伝達手段が異音発生状態となる運転領域にあるときに異音の発生を抑制するように後輪１２Ｒに対するトルク配分が増大されるので、全筒運転モードと減筒運転モードとが切換可能に構成されたエンジン１４を備えた四輪駆動車１０において、全筒運転モードで異音の発生を抑制すると共に減筒運転モードで異音の発生を抑制することができる。
【００６９】
また、本実施形態に係る四輪駆動車では、第１実施形態に係る四輪駆動車に比して、全筒運転モードで第１エンジン回転数Ｎ１から第４エンジン回転数Ｎ４までの運転領域における後輪１２Ｒへの配分トルク及び減筒運転モードで第１エンジン回転数Ｎ１から第５エンジン回転数Ｎ５までの運転領域における後輪１２Ｒへの配分トルクを低くすることができるので、燃費の悪化を抑制することができる。
【００７０】
また、本実施形態に係る制御ユニット３４を、減筒運転モードで第２運転領域における第１運転領域と重なる運転領域、すなわち第１エンジン回転数Ｎ１と第２エンジン回転数Ｎ２との間の運転領域にある場合に、全筒運転モードへの移行要求があったときは、全筒運転モードにおける第１運転領域にあるときに異音の発生を抑制するように増大される後輪１２Ｒに対するトルク配分に調整された後に、すなわち図４の実線Ｌ１１で示す後輪１２Ｒへの配分トルクに制御された後に全筒運転モードへの移行を行うようにすることも可能である。
【００７１】
かかる場合には、後輪１２Ｒに対するトルク配分が増大される前に前記トルク伝達手段が異音発生状態となることを抑制することができ、異音の発生をより有効に抑制することができる。なお、全筒運転モードへの移行要求は、運転モードマップを用いてエンジン回転数及びアクセル開度から判定される。
【００７２】
また、本実施形態に係る制御ユニット３４を、全筒運転モードで第２運転領域における第１運転領域より高エンジン回転数側の運転領域、すなわち第２エンジン回転数Ｎ２と第３エンジン回転数Ｎ３との間の運転領域にある場合に、減筒運転モードへの移行要求があったときは、減筒運転モードにおける第２運転領域にあるときに異音の発生を抑制するように増大される後輪１２Ｒに対するトルク配分に調整された後に、すなわち図４の破線Ｌ１２で示す後輪１２Ｒへの配分トルクに制御された後に減筒運転モードへの移行を行うようにすることも可能である。
【００７３】
かかる場合には、後輪１２Ｒに対するトルク配分が増大される前に前記トルク伝達手段が異音発生状態となることを抑制することができ、異音の発生をより有効に抑制することができる。なお、減筒運転モードへの移行要求は、運転モードマップを用いてエンジン回転数及びアクセル開度から判定される。
【００７４】
図５は、本発明の第３実施形態に係る四輪駆動車におけるエンジン回転数と駆動系の変動トルク及び後輪への配分トルクとの関係を示すグラフである。第３実施形態に係る四輪駆動車は、第２実施形態に係る四輪駆動車と、減筒運転モードで第２運転領域にあるときの後輪１２Ｒへの配分トルクが異なること以外は同様であるので、同様の構成については説明を省略する。
【００７５】
図５に示すように、本実施形態においても、制御ユニット３４は、減筒運転モードで第２運転領域、すなわち第１エンジン回転数Ｎ１と第３エンジン回転数Ｎ３との間の運転領域にあるときに減筒運転モードにおける異音抑制制御を行い、異音の発生を抑制するようにカップリング２８によって後輪１２Ｒに対するトルク配分を増大させ、図５の破線Ｌ２２で示す後輪１２Ｒへの配分トルクになるように制御する。
【００７６】
制御ユニット３４は、第１エンジン回転数Ｎ１では後輪１２Ｒへの配分トルクＴ２より高い配分トルクＴ３になるように制御し、第１エンジン回転数Ｎ１からエンジン回転数が高くなるにつれて後輪１２Ｒへの配分トルクが高くなるように制御し、第５エンジン回転数Ｎ５から第３エンジン回転数Ｎ３までは後輪１２Ｒへの配分トルクＴ１になるように制御する。
【００７７】
本実施形態では、第２運転領域における異音の発生を抑制するように増大される後輪１２Ｒに対するトルク配分が最大となるエンジン回転数Ｎ５未満の運転領域では、減筒運転モードで異音の発生を抑制するように増大される後輪１２Ｒに対するトルク配分より後輪１２Ｒに対するトルク配分を増大させ、第１エンジン回転数Ｎ１から第５エンジン回転数Ｎ５までの運転領域では、図４の破線Ｌ１２に対応する図５の二点鎖線Ｌ１２で示す後輪１２Ｒへの配分トルクより高い配分トルクになるように制御する。
【００７８】
本実施形態においても、制御ユニット３４によって、全筒運転モードであるか否かが判定され、全筒運転モードであると判定される場合、全筒運転モードにおける異音抑制制御が行われ、減筒運転モードであると判定される場合、減筒運転モードにおける異音抑制制御が行われる。また、制御ユニット３４によって、前記運転モードマップを用いてエンジン回転数及びアクセル開度から全筒運転モードと減筒運転モードとを切り換えるようにエンジン１４の作動が制御される。
【００７９】
このように、本実施形態に係る四輪駆動車１０においても、全筒運転モードで前記トルク伝達手段が異音発生状態となる第１運転領域にあるときに異音の発生を抑制するように後輪１２Ｒに対するトルク配分を増大させる異音抑制手段３４が備えられ、該異音抑制手段３４は、減筒運転モードでは、第１運転領域より高エンジン回転数側の減筒運転モードで前記トルク伝達手段が異音発生状態となる運転領域を含む第２運転領域にあるときに異音の発生を抑制するように後輪１２Ｒに対するトルク配分を増大させる。
【００８０】
これにより、全筒運転モード及び減筒運転モードで前記トルク伝達手段が異音発生状態となる運転領域にあるときに異音の発生を抑制するように後輪１２Ｒに対するトルク配分が増大されるので、全筒運転モードと減筒運転モードとが切換可能に構成されたエンジン１４を備えた四輪駆動車１０において、全筒運転モードで異音の発生を抑制すると共に減筒運転モードで異音の発生を抑制することができる。
【００８１】
また、異音抑制手段３４は、減筒運転モードで第２運転領域における異音の発生を抑制するように増大される後輪１２Ｒに対するトルク配分が最大となるエンジン回転数Ｎ５未満の運転領域では、減筒運転モードで異音の発生を抑制するように増大される後輪１２Ｒに対するトルク配分より後輪１２Ｒに対するトルク配分を増大させる。これにより、減筒運転モードにおいて運転者によるアクセルペダルの踏込速度が大きく運転領域の変化や全筒運転モードへの切換が行われる場合に、異音の発生を抑制するように後輪１２Ｒに対するトルク配分が増大される前に前記トルク伝達手段が異音発生状態となることを抑制することができ、異音の発生をより有効に抑制することができる。
【００８２】
なお、本実施形態では、前輪１２Ｆを主駆動輪とし、後輪１２Ｒを補助駆動輪とした四輪駆動車について説明しているが、後輪１２Ｒを主駆動輪とし、前輪１２Ｆを補助駆動輪とした四輪駆動車についても同様に適用することができる。
【００８３】
本発明は、例示された実施の形態に限定されるものではなく、本発明の要旨を逸脱しない範囲において、種々の改良及び設計上の変更が可能である。
【産業上の利用可能性】
【００８４】
以上のように、本発明によれば、四輪駆動車において全筒運転モードで異音の発生を抑制すると共に減筒運転モードで異音の発生を抑制することが可能となるから、この種の車両の製造産業分野において好適に利用される可能性がある。
【符号の説明】
【００８５】
１０  四輪駆動車
１２Ｆ  前輪
１２Ｒ  後輪
１４  エンジン
１６  トランスミッション
１８、２４  車軸
２０  前輪用差動装置
２２  トランスファ
２６  後輪用差動装置
２８  カップリング
３０  プロペラシャフト
３４  制御ユニット
３６  アクセル開度センサ
３８  エンジン回転数センサ
【図１】
0006007995.tif 000002
【図２】
0006007995.tif 000003
【図３】
0006007995.tif 000004
【図４】
0006007995.tif 000005
【図５】
0006007995.tif 000006
【図６】
0006007995.tif 000007
【図７】
0006007995.tif 000008